(57)【要約】【課題】運搬物の外形に沿って安定的に包覆できるようにして、積載した運搬物の上面、および最上段から最下段までの周囲側面を確実に結束固定可能とする。【解決手段】荷役用のパレット、台車の如き積載台Ｐ上に段積み状に積載した運搬物Ｃの上部を包覆し、周囲に形成したフック掛架部１２に、積載台Ｐに挿通した長さ調整可能な締結ベルト１の両端のフック２を掛架可能とした包覆ネット１１を備える。該包覆ネット１１は、運搬物Ｃの上部側を包覆した際に、包覆ネット１１自体に適度な張力が生じるような網目構造となっていて、運搬物Ｃの上部面積に対応する矩形平面部１１ａと、該矩形平面部１１ａの各縁辺から外向き斜め方向に連設し、互いの側端部同士を繋ぎ合わした台形側面部１１ｂ，１１ｃ，１１ｄ，１１ｅとにより開口側に向けて末広がりとなった略立体台形の袋状に形成する。【選択図】図３
0003129684.tif 000002
【実用新案登録請求の範囲】
【請求項１】
荷役用のパレット、台車の如き積載台上に段積み状に積載された梱包すべき運搬物の上部に被覆され、周囲に形成されたフック掛架部に、積載台に挿通された締結ベルトの両端のフックを掛架可能とした包覆ネットを備え、該包覆ネットは、一端開口側に向けて末広がりとなった略立体台形の袋状に形成されて成ることを特徴とする運搬物用荷くずれ防止装置。
【請求項２】
包覆ネットは、運搬物の上側を被覆した際に、当該包覆ネット自体に適度な張力が生じるような網目構造となっていて、運搬物の上部面積に対応する矩形平面部と、該矩形平面部の各縁辺から外向き斜め方向に連設され、互いの側端部同士を繋ぎ合わせた台形側面部とから構成されている請求項１記載の運搬物用荷くずれ防止装置。
【請求項３】
包覆ネットは、台形側面部それぞれの繋ぎ合わせ箇所に補助索が網目に挿通されて設けられている請求項１または２記載の運搬物用荷くずれ防止装置。
【請求項４】
フック掛架部は、前記締結ベルトのフックを掛架可能とする硬質帯紐状の補強用縁部材によって形成されて成る請求項１乃至３のいずれか記載の運搬物用荷くずれ防止装置。
【請求項５】
フック掛架部は、前記締結ベルトのフックを掛架可能とする鳩目金具を備えた帯紐状の縁部材によって形成されて成る請求項１乃至３のいずれか記載の運搬物用荷くずれ防止装置。
【請求項６】
フック掛架部は、台形側面部の下縁部および中段において互いに平行に設けられている請求項１乃至５のいずれか記載の運搬物用荷くずれ防止装置。
【請求項７】
締結ベルトは、カムバックル式もしくは止め金具式のいずれかによる長さ調整部材を備えている請求項１乃至６のいずれか記載の運搬物用荷くずれ防止装置。
【請求項８】
荷役用のパレット、台車の如き積載台上に段積み状に積載された梱包すべき運搬物の上部に被覆され、周囲に形成されたフック掛架部に、積載台に挿通された長さ調整可能な締結ベルトの両端のフックを掛架可能とした包覆ネットを備え、該包覆ネットは、運搬物の上側を被覆した際に、当該包覆ネットに適度な張力が生じるような網目構造となっていて、運搬物の上部面積に対応する矩形平面部と、該矩形平面部の各縁辺から外向き斜め方向に連設され、互いの側端部同士の繋ぎ合わせ箇所に補助索が網目に挿通されて成る台形側面部とにより開口側に向けて末広がりとなった略立体台形の袋状に形成され、フック掛架部は、前記締結ベルトのフックを掛架可能とする硬質帯紐状の補強用縁部材を備えるかまたはフックを鳩目金具を介して掛架可能とする帯紐状の縁部材によって形成されて成ることを特徴とする運搬物用荷くずれ防止装置。
【考案の詳細な説明】
【技術分野】
【０００１】
本考案は、例えば荷役用のパレットあるいは台車上に段積み状に積載された各種の運搬物の上部を包覆し、パレットあるいは台車等の積載台と一体化させるようにして荷くずれを防止する運搬物用荷くずれ防止装置に関する。
【背景技術】
【０００２】
従来、この種の運搬物用荷くずれ防止装置としては、特許文献１に開示されているように、積載された運搬物の上部を覆うための例えば矩形状を呈するネットを併用することにより、荷役用のパレット、台車の如き積載台上に段積み状に積載された各種の運搬物の周囲側面および上部を結束固定して、トラック荷台への積み降ろし、倉庫内での保管その他に際する荷くずれを防止できるようにした被覆ネット併用型の運搬物用荷くずれ防止装置がある。
【０００３】
すなわち、これは、所定の積載台上に段積みされた運搬物の周囲を巻回するに足りる長さを備え、適宜幅員で形成されたシートカバーと、梱包すべき運搬物の上部に被覆され、一端側縁部および他端側縁部に帯紐状の補強用縁部材を介して形成されたリング状の弾性部材による被掛止部をシートカバーの上側縁部に形成された雄雌両面ファスナーによる掛止部に伸張した状態で掛止されるよう弾性部材による網目構造の被覆ネットとを備えて成るものである。
【特許文献１】特開２００４−１３１１４２号公報
【考案の開示】
【考案が解決しようとする課題】
【０００４】
ただ、このような上述した従来例においては、被覆ネットが矩形平面形状を呈しているため、積載された運搬物の上面更には側面上部等が覆われ、周囲側面からの運搬物のずれを防止するのに、段積みされた運搬物の周囲を巻回するための適宜幅員で形成されたシートカバーが必要となっていた。また、このシートカバーは、上段側にある数個の運搬物だけが結束固定されるだけで、積載台と運搬物の下段側との間には何等の結束がなされていないため、下段側周囲側面からの運搬物のずれによる転倒の危険性が避けられないという問題点を有していた。
【０００５】
そればかりでなく、矩形平面形状の被覆ネットは運搬物等の上面及び側面上部を被覆するとき、側面上部をも被覆する被覆ネットの周辺部分では余分な部位が弛み状となって重ね合わせられたものとなっている。そうすると、運搬物周囲を確実に拘束固定したものとはなっていないから、全体の移動時その他に際する外部からの衝撃、振動等によって上段側にある運搬物等にずれが生じる虞もある。また、被覆ネットを運搬物上面に被覆するとき、被覆ネット自体が運搬物の上面積に比し大きくなっているから、運搬物の上面上の中央位置等の所定部位にセットされないこともあり、運搬物上面、側面上部等に適確に位置決めされないこともあった。
【０００６】
そこで、本考案は叙上のような従来存した諸事情に鑑み創案されたもので、ネットを使用した荷くずれ防止装置において、積載台上に積載された運搬物の上面、および最上段から最下段までの全ての周囲側面を確実に結束固定可能とすべく、運搬物上面、側面上部等を運搬物の外形に沿って安定的に包覆できるようにすると共に、積載台と一体化するようにしてトラック荷台への積み降ろし、倉庫内での保管その他に際する荷くずれをさらに一層防止できるようにした運搬物用荷くずれ防止装置を提供することを目的とする。
【課題を解決するための手段】
【０００７】
上述した課題を解決するため、本考案にあっては、荷役用のパレット、台車の如き積載台Ｐ上に段積み状に積載された梱包すべき運搬物Ｃの上部に被覆され、周囲に形成されたフック掛架部１２に、積載台Ｐに挿通された締結ベルト１の両端のフック２を掛架可能とした包覆ネット１１を備え、該包覆ネット１１は、一端開口側に向けて末広がりとなった略立体台形の袋状に形成されて成るものである。
包覆ネット１１は、運搬物Ｃの上側を被覆した際に、当該包覆ネット１１自体に適度な張力が生じるような網目構造となっていて、運搬物Ｃの上部面積に対応する矩形平面部１１ａと、該矩形平面部１１ａの各縁辺から外向き斜め方向に連設され、互いの側端部同士を繋ぎ合わせた台形側面部１１ｂ，１１ｃ，１１ｄ，１１ｅとから構成されているものとできる。
包覆ネット１１は、台形側面部１１ｂ，１１ｃ，１１ｄ，１１ｅそれぞれの繋ぎ合わせ箇所に補助索１６が網目に挿通されて設けられているものとできる。
フック掛架部１２は、前記締結ベルト１のフック２を掛架可能とする硬質帯紐状の補強用縁部材１５ａ，１５ｂによって形成されたり、前記締結ベルト１のフック２を掛架可能とする鳩目金具１４を備えた帯紐状の縁部材１３によって形成されたりして成るものとできる。
フック掛架部１２は、台形側面部１１ｂ，１１ｃ，１１ｄ，１１ｅの下縁部および中段において互いに平行に設けられているものとできる。
締結ベルト１は、カムバックル式もしくは止め金具式のいずれかによる長さ調整部材３を備えているものとできる。
さらに、具体的には、荷役用のパレット、台車の如き積載台Ｐ上に段積み状に積載された梱包すべき運搬物Ｃの上部に被覆され、周囲に形成されたフック掛架部１２に、積載台Ｐに挿通された長さ調整可能な締結ベルト１の両端のフック２を掛架可能とした包覆ネット１１を備え、該包覆ネット１１は、運搬物Ｃの上側を被覆した際に、当該包覆ネット１１自体に適度な張力が生じるような網目構造となっていて、運搬物Ｃの上部面積に対応する矩形平面部１１ａと、該矩形平面部１１ａの各縁辺から外向き斜め方向に連設され、互いの側端部同士を繋ぎ合わせた台形側面部１１ｂ，１１ｃ，１１ｄ，１１ｅとにより開口側に向けて末広がりとなった略立体台形の袋状に形成され、フック掛架部１２は、前記締結ベルト１のフック２を掛架可能とする硬質帯紐状の補強用縁部材１５ａ，１５ｂを備えるかまたはフック２を鳩目金具１４を介して掛架可能とする帯紐状の縁部材１３によって形成されて成るものである。
【０００８】
以上のように構成された本考案に係る運搬物用荷くずれ防止装置にあって、包覆ネット１１は、周囲に形成されたフック掛架部１２に、積載台Ｐに挿通された締結ベルト１の両端部に形成されたフック２によって締結ベルト１自体を伸張した状態で掛架させることによって、当該包覆ネット１１自体に適度な張力を生じさせた状態で、段積状に積載した多数の運搬物Ｃの上部を包覆固定させる。
このとき、運搬物Ｃの上部面積に対応する矩形平面部１１ａと、該矩形平面部１１ａの各縁辺から外向き斜め方向に連設され、互いの側端部同士を繋ぎ合わせた台形側面部１１ｂ，１１ｃ，１１ｄ，１１ｅとから構成されている包覆ネット１１は、段積み状に積載された各種の運搬物Ｃをその上部から周囲側面にかけて包み込む状態とさせる。
また、補助索１６は、立体台形の袋状に形成されている包覆ネット１１全体の保形性を維持させる。
補強用縁部材１５ａ，１５ｂによって形成されたフック掛架部１２は、締結ベルト１の両端に取り付けられたフック２によって締結ベルト１自体を伸張した状態で掛架させるに際し、包覆ネット１１周囲の破損を防止させ、また自由位置でフック２を係合させる。
鳩目金具１４を備えた帯紐状の縁部材１３によって形成されたフック掛架部１２は、前記締結ベルト１の両端に取り付けられたフック２を鳩目金具１４に掛架した際に、帯紐状の縁部材１３自体を適度な張力でもって伸張可能にさせる。
台形側面部１１ｂ，１１ｃ，１１ｄ，１１ｅの下縁部および中段において互いに平行に設けられているフック掛架部１２は、積載台Ｐ上にある運搬物Ｃの高さに応じて、下縁部および中段のいずれかのフック掛架部１２に、締結ベルト１両端のフック２を掛架可能にさせる。
カムバックル式もしくは止め金具式のいずれかによる長さ調整部材３は、荷役用のパレット、台車の如き積載台Ｐ上に段積み状に積載された梱包すべき運搬物Ｃの高さ及び積載台Ｐに対する挿通長さに応じて締結ベルト１の長さを調整可能にさせる。
【考案の効果】
【０００９】
本考案によれば、運搬物Ｃの上部の外形状に沿う包覆ネット１１によって、積載台Ｐ上に積載された運搬物Ｃの上部を包覆し、また、この包覆ネット１１を締結ベルト１１によって積載台Ｐに一体化させることで、運搬物Ｃ全体を確実に結束固定できる。また、運搬物Ｃを包覆する際、運搬物Ｃ上部に対して確実に位置決めさせて作業を容易にすると共に、外部からの衝撃、振動等によっても包覆した運搬物Ｃにおけるずれ等を生じさせることもない。そのため、例えばトラック荷台への積み降ろし、倉庫内での保管その他に際する荷くずれをさらに一層防止できる。
【００１０】
すなわちこれは本発明において、包覆ネット１１は、開口側に向けて末広がりとなった略立体台形の袋状に形成されて成り、当該包覆ネット１１の周囲に形成されたフック掛架部１２に、積載台Ｐ下方に巻架された締結ベルト１の両端部に形成されたフック２を掛架させるものとしたからである。これにより、積載された運搬物Ｃの上面、および最上段から最下段までの全ての周囲側面を確実に結束固定可能として荷くずれを確実に防止でき、しかも運搬物Ｃの上部からの落下、転倒その他も確実に阻止できる。また、例えばスーパーマーケット、大規模小売店等での各種の品出し、オフィス等での書類の移動、工場内での荷物の移動、宅配業者の納品等にも簡単に利用できる。
【００１１】
包覆ネット１１は、運搬物Ｃの上側を被覆した際に、当該包覆ネット１１に適度な張力が生じるような網目構造となっていて、運搬物Ｃの上部面積に対応する矩形平面部１１ａと、該矩形平面部１１ａの各縁辺から外向き斜め方向に連設され、互いの側端部同士を繋ぎ合わせた台形側面部１１ｂ，１１ｃ，１１ｄ，１１ｅとから構成されている。そのため、段積み状に積載された各種の運搬物Ｃの上部から周囲側面にかけて包覆ネット１１で包覆してから、包覆ネット１１の周囲に形成されたフック掛架部１２に、積載台Ｐに挿通された締結ベルト１の両端部に形成されたフック２によって、締結ベルト１自体を伸張した状態で掛架させることによって運搬物Ｃの周囲側面の全体を包み込む状態とできる。これにより、従来のような矩形平面形状のネットで運搬物Ｃ等の上面及び側面上部を被覆したとき、側面上部をも被覆するネットの周辺部分で余分な部位が弛み状となって重ね合わせられることによって生じる運搬物Ｃの周囲側面での緩みやずれ等の結束固定性の劣る事態を未然に防止できる。しかも、運搬物Ｃをしっかりと結束して荷くずれを確実に防止でき、運搬物Ｃの上部からの落下、転倒その他も確実に阻止できる。また、包覆ネット１１の不要時は、フック掛架部１２からのフック２の解除によって運搬物Ｃから簡単に取り外すことができるばかりでなく、不要時は包覆ネット１１を折り畳むことでコンパクトに保管でき、簡単に携帯できることで、荷積み、荷下ろし、運搬作業に際し、迅速に使用できる。
【００１２】
包覆ネット１１は、台形側面部１１ｂ，１１ｃ，１１ｄ，１１ｅそれぞれの繋ぎ合わせ箇所に補助索１６が網目を挿通させて設けられているので、立体台形の袋状に形成されている包覆ネット１１全体の保形性を常に維持させておくことができ、包覆ネット１１の運搬物Ｃ上部に対する包覆が位置ずれを生じさせることなく容易に行える。しかも、包覆ネット１１の周辺部分では、当該包覆ネット１１の台形側面部１１ｂ，１１ｃ，１１ｄ，１１ｅの相互側端部が弛み状態とならずに、補助索１６を介して互いに緊張した状態でしっくりと折り畳まれる。
【００１３】
フック掛架部１２は、前記締結ベルト１のフック２を掛架可能とする硬質帯紐状の補強用縁部材１５ａ，１５ｂによって形成されて成るので、締結ベルト１の両端に取り付けられたフック２によって締結ベルト１自体を伸張した状態で包覆ネット１１のフック掛架部１２に掛架させるに際し、包覆ネット１１周囲の破損を未然に防止できる。また、補強用縁部材１５の自由な位置で一方のフック２を係合でき、積載台Ｐに挿通させて、他方のフック２を運搬物Ｃの他側面における補強用縁部材１５ａ，１５ｂの自由位置の部位に係合することができる。
【００１４】
フック掛架部１２は、前記締結ベルト１のフック２を掛架可能とする鳩目金具１４を備えた帯紐状の縁部材１３によって形成することもできる。そうすると、包覆ネット１１のフック掛架部１２に対し、締結ベルト１のフック２の着脱が容易に行える。しかも、締結ベルト１の両端に取り付けられたフック２を鳩目金具１４に掛架した際に、帯紐状の縁部材１３自体を適度な張力でもって伸張させることもできる。
【００１５】
フック掛架部１２は、台形側面部１１ｂ，１１ｃ，１１ｄ，１１ｅの下縁部および中段において互いに平行に設けられているので、積載台Ｐ上にある運搬物Ｃの高さに応じて、下縁部および中段のいずれかのフック掛架部１２に、締結ベルト１両端のフック２を掛架させることで、結束固定性を確実にすることができる。
【００１６】
締結ベルト１は、カムバックル式もしくは止め金具式のいずれかによる長さ調整部材３を備えているので、荷役用のパレット、台車の如き積載台Ｐ上に段積み状に積載された梱包すべき運搬物Ｃの高さ及び積載台Ｐに対する挿通長さ等に応じて締結ベルト１の長さを自由に調整できる。
【００１７】
尚、上記の課題を解決するための手段、考案の効果の項夫々において付記した符号は、図面中に記載した構成各部を示す部分との参照を容易にするために付したもので、図面中の符号によって示された構造・形状に本考案が限定されるものではない。
【考案を実施するための最良の形態】
【００１８】
以下、図面を参照して本考案を実施するための最良の一形態を説明する。図において示される符号１は、長さ調整部材３によって所定の長さに調整可能とした締結ベルトである。この締結ベルト１は、荷役用のパレット、台車の如き積載台Ｐ上に段積み状に積載された各種の運搬物Ｃを包覆する包覆ネット１１を連結固定するとき、図３に示すように、不図示のフォークリフトのフォーク先端を差し込むために積載台Ｐの４側面から互いに貫通された状態にして形成されている断面ほぼ矩形状の差込孔Ｓに、一方の開口部から他方の開口部に至るように挿通し、積載台Ｐをも巻回するようにして包覆ネット１１の側面部分相互を締結するに足りる長さを備えており、所定の幅員を有するものとしてある。
【００１９】
すなわち、この締結ベルト１は、運搬物Ｃの上部を包覆した包覆ネット１１の周囲に形成されたフック掛架部１２に、積載台Ｐの差込孔Ｓに挿通巻回された締結ベルト１の両端部に形成されたほぼハンガー形状を呈するフック２によって掛架させるのに足りる長さを備えたものとなっている（図２参照）。そして、例えばポリエステル繊維をポール・グラスファイバーと共に織成したものとすることで、外部からの衝撃、破断力その他に対しては容易には破断されない程度の強靱性を備えたものとしてある。
【００２０】
また、締結ベルト１は、図２（ａ）に示すように、ハンガー形状を有する一対のフック２の各挿入孔２ａにそれぞれ挿通されてから両端部同士をカムバックル式の長さ調整部材３を介して互いに連結してある。
【００２１】
あるいは、締結ベルト１は、図２（ｂ）に示すように、ハンガー形状の一対のフック２の各挿入孔２ａにそれぞれ挿通されてから互いに折り返された両端部それぞれを、リング状の止め金具式の長さ調整部材３によって折り返す前の締結ベルト１自体に連結しても良い。
【００２２】
図１に示すように、包覆ネット１１は、運搬物Ｃの上部側を包覆した際に、当該包覆ネット１１に適度な張力が生じるような例えば強靱な細紐材によって網編されることで各網目が略菱形・矩形その他を呈する網目構造となっている。そして、包覆ネット１１自体は、運搬物Ｃの上部面積に対応する広さの矩形平面部１１ａと、運搬物Ｃの側面の上部側面積に対応する広さとなるような、該矩形平面部１１ａの各縁辺から外向き斜め方向に連設され、互いの側端部同士を繋ぎ合わせて成る台形側面部１１ｂ，１１ｃ，１１ｄ，１１ｅとから裁頭四角錐状を呈するように構成される。すなわち、展開形状が開口側に向けて末広がりとなった略立体台形の袋状を呈するものとしてある。このような略立体台形の袋状とすることで、運搬物Ｃ上部に対する包覆セット作業を所定位置に位置決めさせて容易に遂行できる。
【００２３】
このような包覆ネット１１の具体的なサイズとしては、矩形平面部１１ａの縦横の長さを例えば１３０ｃｍ程度の正方形とし、前後左右の台形側面部１１ｂ，１１ｃ，１１ｄ，１１ｅにおける上底の長さを例えば１３０ｃｍ、下底の長さを例えば１８０ｃｍ、台形側面部１１ｂ，１１ｃ，１１ｄ，１１ｅの展開時における高さを例えば６０ｃｍに形成した小型サイズの立体台形袋状となるように形成される。
【００２４】
あるいは、包覆ネット１１は、矩形平面部１１ａの縦の長さを例えば１５０ｃｍ、横の長さを例えば２５０ｃｍとした長方形とし、前後の台形側面部１１ｂ，１１ｄにおける上底の長さを例えば２５０ｃｍ、下底の長さを例えば３５０ｃｍ、左右の台形側面部１１ｃ，１１ｅにおける上底の長さを例えば１５０ｃｍ、下底の長さを例えば２５０ｃｍ、台形側面部１１ｂ，１１ｃ，１１ｄ，１１ｅの展開時における高さを例えば１３０〜１４０ｃｍに形成した大型サイズの立体台形袋状となるように形成される。
【００２５】
そして、図１、図３に示すように、包覆ネット１１における各台形側面部１１ｂ，１１ｃ，１１ｄ，１１ｅの縁部には、強靱な帯紐状の縁部材１３を取り付け、該縁部材１３には等間隔毎に鳩目金具１４を付設することでフック掛架部１２が形成され、このフック掛架部１２の鳩目金具１４に締結ベルト１両端のフック２が掛架されることで包覆ネット１１が運搬物Ｃの上部を包覆固定できるようにしてある。
【００２６】
また、包覆ネット１１には、当該包覆ネット１１全体の保形性を維持するように例えば対角線上に配置固定した補助索１６が網目を挿通させて設けられることで、包覆ネット１１によって運搬物Ｃの上部を被覆したときの運搬物Ｃに対する保持の確実性が得られるようにしても良い。
【００２７】
尚、矩形平面部１１ａ、台形側面部１１ｂ，１１ｃ，１１ｄ，１１ｅそれぞれの周縁部をこの補助索１６によって補強すると同時にそれぞれの平面形状外郭を形作っておき、全体が台形袋状となるように並列させた補助索１６それぞれを細紐材にてかがるようにして包覆ネット１１を構成すると良い。
【００２８】
また、等間隔毎に鳩目金具１４を付設して成る縁部材１３によって形成された前記フック掛架部１２を、包覆ネット１１における各台形側面部１１ｂ，１１ｃ，１１ｄ，１１ｅの下縁部および中段に設け、使用に際し、積載台Ｐ上にある運搬物Ｃの高さ等に応じて、下縁部および中段のいずれかのフック掛架部１２に、締結ベルト１両端のフック２を掛架可能にしても良い。
【００２９】
次に、本考案装置の使用の一例を説明する。図３に示すように、積載台Ｐ上に段積み状に積載された運搬物Ｃの上部に包覆ネット１１を被せる。このとき、包覆ネット１１は、展開形状が開口側に向けて末広がりとなった略立体台形の袋状を呈しているため、運搬物Ｃの周囲側面の最上段からほぼ中段にかけて帽子が被さるように包覆される。
【００３０】
そして、締結ベルト１を積載台Ｐの差込孔Ｓに、一方の開口部から他方の開口部に至るように挿通し、積載台Ｐをも巻回するようにしてから、当該締結ベルト１両端のフック２を、運搬物Ｃにおける異なる側面同士で位置する包覆ネット１１のフック掛架部１２の鳩目金具１４に適度な張力を発生した状態で掛架する。このとき、運搬物Ｃの四隅においては、包覆ネット１１の各台形側面部１１ｂ，１１ｃ，１１ｄ，１１ｅの連結部同士が互いに折り込まれ、締結ベルト１を差込孔Ｓに複数挿入してから、両端の各フック２をフック掛架部１２のそれぞれ異なる運搬物Ｃの側面における鳩目金具１４に掛架するようにして固定する。
【００３１】
こうして、包覆ネット１１は締結ベルト１によって伸張状態にされ、運搬物Ｃの周囲側面の最上段からほぼ中段にかけて包覆配置される。しかも、運搬物Ｃの周囲側面の最下段からほぼ中段にかけては締結ベルト１の緊張によって積載台Ｐ側に一体状にしてしっかりと結束固定される。
【００３２】
図４乃至図６は、本考案に係る包覆ネット１１の他の形態が示されている。すなわち、包覆ネット１１を、図４（ａ）に示すように、矩形平面部１１ａの縦横の長さを例えば１３０ｃｍ程度の正方形とし、前後左右の各台形側面部１１ｂ，１１ｃ，１１ｄ，１１ｅにおける上底の長さを例えば１３０ｃｍ、下底の長さを例えば１８０ｃｍ、各台形側面部１１ｂ，１１ｃ，１１ｄ，１１ｅの展開時における高さを例えば６０ｃｍに形成した小型サイズの立体台形袋状となるように形成し、包覆ネット１１における各台形側面部１１ｂ，１１ｃ，１１ｄ，１１ｅの縁部には、前記締結ベルト１のフック２を掛架可能とするフック掛架部１２として、例えば直径１０ｍｍのＰＥ製等の硬質帯紐状による強靱な補強用縁部材１５ａを設ける。
【００３３】
あるいは、図４（ｂ）に示すように、包覆ネット１１を、矩形平面部１１ａの縦の長さを例えば１５０ｃｍ、横の長さを例えば２５０ｃｍとした長方形とし、前後の台形側面部１１ｂ，１１ｄにおける上底の長さを例えば２５０ｃｍ、下底の長さを例えば３５０ｃｍ、左右の台形側面部１１ｃ，１１ｅにおける上底の長さを例えば１５０ｃｍ、下底の長さを例えば２５０ｃｍ、各台形側面部１１ｂ，１１ｃ，１１ｄ，１１ｅの展開時における高さを例えば１３０〜１４０ｃｍに形成した大型サイズの立体台形袋状となるように形成する。また、包覆ネット１１における各台形側面部１１ｂ，１１ｃ，１１ｄ，１１ｅの縁部には、前記締結ベルト１のフック２を掛架可能とするフック掛架部１２として、前記した補強用縁部材１５ａを設け、各台形側面部１１ｂ，１１ｃ，１１ｄ，１１ｅのほぼ中段には、補強用縁部材１５ａとほぼ平行に、前記締結ベルト１のフック２を掛架可能とする他のフック掛架部１２として、例えば直径１０ｍｍのＰＥ製等の硬質帯紐状による強靱な補強用縁部材１５ｂを設ける。
【００３４】
使用に際しては、締結ベルト１を積載台Ｐの差込孔Ｓに、一方の開口部から他方の開口部に至るように挿通し、積載台Ｐをも巻回するようにしてから、当該締結ベルト１両端のフック２を運搬物Ｃにおける異なる側面に位置する包覆ネット１１のフック掛架部１２に適度な張力を発生した状態で掛架する。
【００３５】
このとき、積載台Ｐ上にある運搬物Ｃの高さが高い場合には、図５に示すように、フック掛架部１２である補強用縁部材１５ａの任意の位置に締結ベルト１両端のフック２を掛架すれば良い。
【００３６】
また、積載台Ｐ上にある運搬物Ｃの高さが低い場合には、図６に示すように、フック掛架部１２である中段位置にある補強用縁部材１５ｂの任意の位置に締結ベルト１両端のフック２を掛架すれば良い。
【００３７】
こうして、フック掛架部１２は、強靱な補強用縁部材１５ａ，１５ｂによって形成されているため、締結ベルト１両端のフック２が包覆ネット１１のフック掛架部１２に適度な張力により掛架されている状態であっても、包覆ネット１１周囲の破損が防止された状態を常に維持するものとなる。
【図面の簡単な説明】
【００３８】
【図１】本考案の一実施の形態における包覆ネットの一例を示す斜視図である。
【図２】締結ベルトの一例を示すもので、（ａ）はカムバックル式の締結ベルトの斜視図、（ｂ）は止め金具式の締結ベルトの斜視図である。
【図３】本考案装置による包覆ネットで運搬物の上部を覆った使用状態を示す斜視図である。
【図４】本考案の他の形態における包覆ネットを示すもので、（ａ）は小型サイズの斜視図、（ｂ）は大型サイズで中段に補強用縁部材を備えた場合の斜視図である。
【図５】本考案の他の形態における包覆ネットで高さの高い運搬物の上部を覆った使用状態を示す斜視図である。
【図６】同じく他の形態における包覆ネットで高さの低い運搬物の上部を覆った使用状態を示す斜視図である。
【符号の説明】
【００３９】
Ｃ…運搬物                              Ｐ…積載台
Ｓ…差込孔
１…締結ベルト                          ２…フック
２ａ…挿入孔                            ３…長さ調整部材
１１…包覆ネット                        １１ａ…矩形平面部
１１ｂ，１１ｃ，１１ｄ，１１ｅ…台形側面部
１２…フック掛架部                      １３…帯紐状の縁部材
１４…鳩目金具                          １５ａ，１５ｂ…補強用縁部材
１６…補助索
【図１】
0003129684.tif 000003
【図２】
0003129684.tif 000004
【図３】
0003129684.tif 000005
【図４】
0003129684.tif 000006
【図５】
0003129684.tif 000007
【図６】
0003129684.tif 000008